(57)【要約】【課題】アンテナで受信された放送波信号の入力レベルが許容範囲内か否かを、装置内部で確実に検知することができるブースタ装置を提供する。【解決手段】アンテナで受信した放送波信号を増幅する増幅部４に対する放送波信号の入力レベルを検出するレベル検出手段５と、このレベル検出手段５で検出された入力レベルが予め設定されたしきい値をオーバーしているか否かを判定する判定手段６と、この判定手段６により放送波信号の入力レベルがしきい値をオーバーしている場合にはその旨を外部に報知する報知手段１１とを備えている。【選択図】　　　　　図１
2004064472.tif 000002
【特許請求の範囲】
【請求項１】
アンテナで受信した放送波信号を増幅する増幅部に対する前記放送波信号の入力レベルを検出するレベル検出手段と、
このレベル検出手段で検出された入力レベルが予め設定されたしきい値をオーバーしているか否かを判定する判定手段と、
この判定手段により放送波信号の入力レベルがしきい値をオーバーしている場合にはその旨を外部に報知する報知手段と、
を備えることを特徴とするブースタ装置。
【請求項２】
前記報知手段は、発光手段で構成されていることを特徴とする請求項１記載のブースタ装置。
【請求項３】
前記発光手段は、入力レベルがしきい値をオーバーしている場合には、これに応じて発光色または発光時間間隔を変化させるものであることを特徴とする請求項２記載のブースタ装置。
【請求項４】
前記発光手段は、入力レベルが上限側のしきい値をオーバーした場合と下限側のしきい値をオーバーした場合とで発光色または発光時間間隔を互いに異ならせるものであることを特徴とする請求項２記載のブースタ装置。
【請求項５】
前記報知手段は、警告音を発生する警告音発生手段で構成されていることを特徴とする請求項１記載のブースタ装置。
【請求項６】
前記警告音発生手段は、入力レベルがしきい値をオーバーしている場合には、これに応じて音色または発音時間間隔を変化させるものであることを特徴とする請求項５記載のブースタ装置。
【請求項７】
前記警告音発生手段は、入力レベルが上限側のしきい値をオーバーした場合と下限側のしきい値をオーバーした場合とで音色または発音時間間隔を互いに異ならせるものであることを特徴とする請求項５記載のブースタ装置。
【請求項８】
前記レベル検出手段の前段側にレベル調整手段を設け、このレベル調整手段によるレベル調整を前記報知手段により確認できるようにしていることを特徴とする請求項１ないし請求項７のいずれか１項に記載のブースタ装置。
【請求項９】
前記判定手段により放送波信号の入力レベルがしきい値をオーバーしていると判定された場合には、そのオーバー量を表示するオーバー量表示手段を備えることを特徴とする請求項１ないし請求項８のいずれか１項に記載のブースタ装置。
【発明の詳細な説明】
【０００１】
【発明の属する技術分野】
本発明は、アンテナで受信した放送波信号をチューナまで伝送する際に生じるレベル低下を補償するために設けられるブースタ装置に関するものである。
【０００２】
【従来の技術】
一般に、放送波信号共聴配線システムにおいては、図１２に示すように、アンテナ３１で受信したテレビ放送電波などの放送波信号を分配器３２で分配した後、各部屋に設置されたテレビ受像機３３まで伝送する。
【０００３】
ここで、アンテナ３１で受信した放送波信号をテレビ受像機３３まで伝送する際には、配線用の同軸ケーブル３４による伝送損失が発生する。また、分配器３２で信号を分配する際にも分配損が発生する。そして、これらの損失のためにアンテナ３１で受信した放送波信号の強度が極度に弱くなると、テレビ受像機３３での受信が困難になる。
【０００４】
そこで、従来、アンテナ３１とテレビ受像機３３との間でアンテナ３１に比較的近接した位置に図１３に示すようなブースタ装置３５を設け、このブースタ装置３５でアンテナ３１で受信した放送波信号を増幅してテレビ受像機３３に出力することにより、信号損失を補償するようにしている。なお、３６は放送波信号の入力端子、３７は増幅後の放送波信号の出力端子である。
【０００５】
このように、ブースタ装置３５においては、信号損失を補償するために、放送波信号を増幅する増幅部３８における利得が適切な値となるように調整されるが、ブースタ装置３５の設置後の経年変化や環境変化等に起因して、予め増幅部３８において調整しておいた利得では不適切な値になることが起こる。
【０００６】
そのため、従来技術では、ブースタ装置３５の出力レベルを検出する出力レベル検出手段３９を設け、この出力レベル検出手段３９の検出出力に基づいて増幅部３８の利得を調整して常に各テレビ受像機３３に適切な強度レベルを有する放送波信号が与えられるようにした技術が提案されている（たとえば、実開昭５８−４３０６９号公報、特開平９−２８９５９６号公報等参照）。
【０００７】
【発明が解決しようとする課題】
ブースタ装置３５は、上述のごとくアンテナ３１で受信した放送波信号を適切な信号レベルになるように増幅する一種の増幅器であるが、このブースタ装置３５に入力される放送波信号のレベルには装置固有の適正範囲があり、その適正範囲から外れたレベルの信号が入力された場合には、放送波信号に歪みが発生してテレビ受像機３３における画像が乱れる等の不具合を生じる。
【０００８】
一方、テレビ放送電波などの放送波信号を受信する場合、送信電力が一時的に変動したり、高層ビルの建設等により受信レベルが低下したりするなど、その伝送系が変動することがある。そして、このような放送波信号の変動により、ブースタ装置３５には上記の適正範囲から外れたレベルの信号が入力されることがある。
【０００９】
そのような場合、従来技術のように、ブースタ装置３５の出力レベルを検出する手段３９によってその出力レベルを検出しても増幅部３８の利得が不適切なのか、元々、ブースタ装置３５に入力される放送波信号の入力レベルが適正範囲から外れたためであるか、を明確に区別することができない。
【００１０】
ブースタ装置３５に入力される放送波信号の入力レベルが適正範囲から外れているか否かを判断するには、専用の測定器を用いて測定することが可能であるが、そのような測定器を使用する場合には、測定作業が煩雑となるばかりか、余分な労力を要することもなる。
【００１１】
本発明は、上記の事情に鑑みてなされたもので、その目的とするところは、アンテナで受信された放送波信号の入力レベルが装置の適正範囲内か否かを、専用の測定器を持ち込まなくても、ブースタ装置の内部で確実に検知できるようにすることである。
【００１２】
【課題を解決するための手段】
上記の目的を達成するために、本発明のブースタ装置にあっては、次の構成を採用している。
【００１３】
すなわち、請求項１記載の発明に係るブースタ装置は、アンテナで受信した放送波信号を増幅する増幅部に対する前記放送波信号の入力レベルを検出するレベル検出手段と、このレベル検出手段で検出された入力レベルが予め設定されたしきい値をオーバーしているか否かを判定する判定手段と、この判定手段により放送波信号の入力レベルがしきい値をオーバーしている場合にはその旨を外部に報知する報知手段と、を備えることを特徴としている。
【００１４】
これにより、増幅部に入力される放送波信号の入力レベルが適正範囲内であるか否かを装置内部で確実に検知することができる。
【００１５】
請求項２記載の発明に係るブースタ装置は、請求項１記載の発明の構成において前記報知手段は、発光手段で構成されていることを特徴としている。
【００１６】
これにより、発光手段が発光することにより、増幅部に入力される放送波信号の入力レベルが適正であるか否かを一見して把握することができる。
【００１７】
請求項３記載の発明に係るブースタ装置は、請求項２記載の発明の構成において、前記発光手段は、入力レベルがしきい値をオーバーしている場合には、これに応じて発光色または発光時間間隔を変化させるものであることを特徴としている。
【００１８】
これにより、発光色の変化あるいは発光時間間隔の変化によって放送波信号の入力レベルが適正であるか否かを一見して把握することができる。
【００１９】
請求項４記載の発明に係るブースタ装置は、請求項２記載の発明の構成において、前記発光手段は、入力レベルが上限側のしきい値をオーバーした場合と下限側のしきい値をオーバーした場合とで発光色または時間間隔を互いに異ならせるものであることを特徴としている。
【００２０】
これにより、放送波信号の入力レベルが適正であるか否かを把握できるだけでなく、不適正である場合には入力レベルが高すぎるのか低すぎるのかの方向性も一見して把握することができる。
【００２１】
請求項５記載の発明に係るブースタ装置は、請求項１記載の発明の構成において、前記報知手段は、警告音を発生する警告音発生手段で構成されていることを特徴としている。
【００２２】
これにより、ブースタ装置から離れていたり、ブースタ装置がケース内に収納されていて外部からは見えない場合でも、警告音を聞くことで増幅部に入力される放送波信号の入力レベルが適正であるか否かを容易に把握することができる。
【００２３】
請求項６記載の発明に係るブースタ装置は、請求項５記載の発明の構成において、前記警告音発生手段は、入力レベルがしきい値をオーバーしている場合には、これに応じて音色または発音時間間隔を変化させるものであることを特徴としている。
【００２４】
これにより、ブースタ装置から離れていたり、ブースタ装置がケース内に収納されていて外部からは見えない場合でも、音色の変化または発音時間間隔の変化によって放送波信号の入力レベルが適正であるか否かを容易に把握することができる。
【００２５】
請求項７記載の発明に係るブースタ装置は、請求項５記載の発明の構成において、前記警告音発生手段は、入力レベルが上限側のしきい値をオーバーした場合と下限側のしきい値をオーバーした場合とで音色または発音時間間隔を互いに異ならせるものであることを特徴としている。
【００２６】
これにより、放送波信号の入力レベルが適正であるか否かを把握できるだけでなく、不適正である場合には入力レベルが高すぎるのか低すぎるのかの方向性も把握することができる。
【００２７】
請求項８記載の発明に係るブースタ装置は、請求項１ないし請求項７のいずれか１項に記載の発明の構成において、前記レベル検出手段の前段側にレベル調整手段を設け、このレベル調整手段によるレベル調整を前記報知手段により確認できるようにしていることを特徴としている。
【００２８】
これにより、増幅部への放送波信号の入力レベルをレベル調整手段で調整する際に、入力レベルが適正なレベルに調整されたか否かを報知手段によってリアルタイムで確認することができ、調整作業を円滑に進めることができる。
【００２９】
請求項９記載の発明に係るブースタ装置は、請求項１ないし請求項８のいずれか１項に記載の発明の構成において、前記判定手段により放送波信号の入力レベルがしきい値をオーバーしていると判定された場合には、そのオーバー量を表示するオーバー量表示手段を備えることを特徴としている。
【００３０】
これにより、放送波信号の入力レベルが不適正であるときには、その調整量を作業者に知らせることができるため、調整作業を円滑に進めることができる。
【００３１】
【発明の実施の形態】
以下、本発明の実施の形態について、図面を参照して詳細に説明する。
【００３２】
［実施の形態１］
図１は本発明の実施の形態１におけるブースタ装置の構成を示すブロック図、図２は同装置のレベル検出手段と判定手段の具体的構成を示す回路図である。
【００３３】
これらの図において、１Ａはブースタ装置の全体を示し、２は図外のアンテナからの放送波信号を入力する入力端子、３はブースタ装置１Ａで増幅後の放送波信号を出力する出力端子、４は入力端子２を介して取り込まれる放送波信号を増幅する増幅部である。
【００３４】
さらに、この実施の形態１では、増幅部４に対する放送波信号の入力レベルを検出するレベル検出手段５と、このレベル検出手段５で検出された入力レベルが予め設定されたしきい値をオーバーしているか否かを判定する判定手段６と、この判定手段６により放送波信号の入力レベルがしきい値をオーバーしている場合にはその旨を外部に報知する報知手段としての発光手段１１とを備えている。
【００３５】
上記のレベル検出手段５は、たとえば、コンデンサＣ１、ダイオードＤ１，Ｄ２および抵抗Ｒ１からなる検波回路により構成されている。また、判定手段６は、たとえば、コンパレータＣＭＰ、このコンパレータＣＭＰに対するしきい値電圧を設定するための可変抵抗ＶＲ、および抵抗Ｒ２，Ｒ３により構成されている。さらに、発光手段１１としては、ここではＬＥＤが適用されているが、ランプ等であってもよい。
【００３６】
上記構成において、図外のアンテナで受信された放送波信号が入力端子２を介してブースタ装置１Ａの内部に入力されると、この放送波信号は増幅部４で増幅された後、出力端子３から出力される。
【００３７】
その際、増幅部４の入力レベルには適正範囲があり、その適正範囲から外れたレベルの放送波信号が入力された場合には、信号歪みが発生して図外のテレビ受像機における画像が乱れる等の不具合を生じる。
【００３８】
そこで、この実施の形態１では、まず、増幅部４の前段側に配置されたレベル検出手段５によって増幅部４に入力される放送波信号を検波することにより、放送波信号のレベルを検出する。そして、判定手段６のコンパレータＣＭＰによって検波後の放送波信号の入力レベルが可変抵抗ＶＲによって予め設定したしきい値をオーバーしているか否かを判定する。
【００３９】
その際、検波後の放送波信号の入力レベルがしきい値をオーバーしている場合には、コンパレータＣＭＰからはハイレベルの信号が出力されるので、これに応じてＬＥＤ１１が点灯する。それ以外の場合にはＬＥＤ１１は消灯状態を維持する。
【００４０】
このように、この実施の形態１では、増幅部４に入力される放送波信号のレベルが許容範囲をオーバーした場合には、発光手段としてのＬＥＤ１１が点灯することにより、増幅部４に入力される放送波信号の入力レベルが適正であるか否かを一見して把握することができる。
【００４１】
なお、ここでは、検波後の放送波信号の入力レベルが可変抵抗ＶＲで設定されるしきい値よりも大きくなった場合にＬＥＤ１１が点灯するようにしているが、これとは逆に、検波後の放送波信号の入力レベルが可変抵抗ＶＲで設定されるしきい値よりも小さくなった場合にＬＥＤ１１が点灯するような構成、すなわちコンパレータＣＭＰの非反転入力端子＋に可変抵抗ＶＲを接続して下限側のしきい値を設定する構成にすることも可能である。
【００４２】
［実施の形態２］
図３は本発明の実施の形態２におけるブースタ装置の構成を示すブロック図であり、図１および図２に示した実施の形態１と対応する構成部分には同一の符号を付す。
【００４３】
この実施の形態２におけるブースタ装置１Ｂの特徴は、発光色の異なる複数（ここでは２個）のＬＥＤ１１ａ，１１ｂと、判定手段６の判定結果に基づいて各ＬＥＤ１１ａ，１１ｂのいずれかを選択して発光させる発光色選択手段１２を備えており、これらのＬＥＤ１１ａ，１１ｂおよび発光色選択手段１２によって発光手段１３が構成されていることである。
【００４４】
その他の構成は実施の形態１の場合と同様であるから、その他の構成についてはここでは詳しい説明は省略する。
【００４５】
上記構成において、判定手段６は、レベル検出手段５で検出した放送波信号の入力レベルがしきい値をオーバーしているか否かを判定し、その判定結果を発光色選択手段１２に出力するので、発光色選択手段１２は、ＬＥＤ１１ａまたは１１ｂのいずれか一方を選択して発光させる。たとえば、入力レベルがしきい値をオーバーした場合には一方のＬＥＤ１１ａに通電するので赤色に点灯し、それ以外の場合は他方のＬＥＤ１１ｂに通電するので緑色に点灯する。
【００４６】
このように、この実施の形態２では、入力レベルがしきい値をオーバーしているか否かに応じて発光色が変化するので、放送波信号の入力レベルが適正であるか否かを一見して把握することができる。
【００４７】
［実施の形態３］
図４は本発明の実施の形態３におけるブースタ装置の構成を示すブロック図であり、図１および図２に示した実施の形態１と対応する構成部分には同一の符号を付す。
【００４８】
この実施の形態３におけるブースタ装置１Ｃの特徴は、ＬＥＤ１１と、判定手段６の判定結果に基づいてＬＥＤ１１の発光時間間隔を変化させる発光時間間隔制御手段１４とを備えており、これらのＬＥＤ１１および発光時間間隔制御手段１４によって発光手段１５が構成されていることである。
【００４９】
その他の構成は実施の形態１の場合と同様であるから、その他の構成についてはここでは詳しい説明は省略する。
【００５０】
上記構成において、判定手段６は、レベル検出手段５で検出した放送波信号の入力レベルがしきい値をオーバーしているか否かを判定し、その判定結果を発光時間間隔制御手段１４に出力するので、発光時間間隔制御手段１４は、発光時間間隔を決める通電パターンを選択して発光させる。たとえば、入力レベルがしきい値をオーバーした場合にはＬＥＤ１１を点滅し、それ以外の場合はＬＥＤ１１を連続点灯する。
【００５１】
このように、この実施の形態３では、入力レベルがしきい値をオーバーしているか否かに応じてＬＥＤ１１の発光時間間隔が変化するので、放送波信号の入力レベルが適正であるか否かを一見して把握することができる。
【００５２】
［実施の形態４］
この実施の形態４のブースタ装置としては、基本的には、たとえば、図３に示した実施の形態２と同様の構成、あるいは図４に示した実施の形態３と同様の構成が採用される。ただし、判定手段６としては、上限側と下限側の各々のしきい値が設定された２つのコンパレータＣＭＰを備えている。
【００５３】
ここで、図３に示したのと同様の構成の場合、発光色選択手段１２は、入力レベルが上限側のしきい値よりも大きい場合には一方のＬＥＤ１１ａを点灯し、入力レベルが下限側のしきい値よりも小さい場合には他方のＬＥＤ１１ｂを点灯し、入力レベルが上限側と下限側の各しきい値の間にあって正常な場合には、両ＬＥＤ１１ａ，１１ｂを共に消灯状態に維持する。
【００５４】
したがって、たとえば、図５（ａ）に示すように、入力レベルが正常の場合は消灯状態が維持され、入力レベルが下限側のしきい値よりも小さいときには黄色、入力レベルが上限側のしきい値よりも大きいときには赤色がそれぞれ点灯する。
【００５５】
また、図４に示したのと同様の構成の場合、発光時間間隔制御手段１４は、図５（ｂ）に示すように、入力レベルが上限側のしきい値よりも大きい場合にはＬＥＤ１１の点灯を断続する間隔Ｔ１を短くし、入力レベルが下限側のしきい値よりも小さい場合にはＬＥＤ１１の点灯を断続する間隔Ｔ２を長くし（Ｔ２＞Ｔ１）、入力レベルが上限側と下限側の各しきい値の間にあって正常な場合には、ＬＥＤ１１を断続することなく連続点灯状態にする。
【００５６】
このように、この実施の形態４のブースタ装置は、入力レベルが上限側のしきい値をオーバーした場合と下限側のしきい値をオーバーした場合とで発光色あるは発光時間間隔を互いに異ならせるようにしているので、放送波信号の入力レベルが適正であるか否かを把握できるだけでなく、不適正である場合には入力レベルが高すぎるのか低すぎるのかの方向性についても一見して把握することができる。
【００５７】
［実施の形態５］
図６は本発明の実施の形態５におけるブースタ装置の構成を示すブロック図であり、図１および図２に示した実施の形態１と対応する構成部分には同一の符号を付す。
【００５８】
この実施の形態５におけるブースタ装置１Ｄの特徴は、判定手段６の判定結果に基づいて警告音を発生する警告音発生手段としてのブザー２１が設けられていることである。
【００５９】
その他の構成は実施の形態１の場合と同様であるから、その他の構成についてはここでは詳しい説明は省略する。
【００６０】
上記構成において、判定手段６は、レベル検出手段５で検出した放送波信号の入力レベルがしきい値をオーバーしているか否かを判定する。そして、放送波信号の入力レベルがしきい値をオーバーしている場合には、判定手段６からハイレベルの信号が出力されるので、これに応じてブザー２１が警告音を鳴らし、それ以外の場合には無音状態を維持する。
【００６１】
このように、この実施の形態５では、増幅部４に入力される放送波信号のレベルが許容範囲をオーバーした場合には、警告音発生手段としてのブザー２１により警告音が発せられるので、ブースタ装置１Ｄから離れていたり、ブースタ装置１Ｄがケース内に収納されていて外部からは見えない場合でも、放送波信号の入力レベルが適正であるか否かを容易に把握することができる。
【００６２】
［実施の形態６］
図７は本発明の実施の形態６におけるブースタ装置の構成を示すブロック図であり、図１および図２に示した実施の形態１と対応する構成部分には同一の符号を付す。
【００６３】
この実施の形態６におけるブースタ装置１Ｅの特徴は、警告音の音色が異なる複数（ここでは２個）のブザー２１ａ，２１ｂと、判定手段６の判定結果に基づいて各ブザー２１ａ，２１ｂのいずれかを選択して発音させる発生音選択手段２２を備えており、これらのブザー２１および発生音選択手段２２によって警告音発生手段２３が構成されていることである。
【００６４】
その他の構成は実施の形態１の場合と同様であるから、その他の構成についてはここでは詳しい説明は省略する。
【００６５】
上記構成において、判定手段６は、レベル検出手段５で検出した放送波信号の入力レベルがしきい値をオーバーしているか否かを判定し、その判定結果を発生音選択手段２２に出力するので、発生音選択手段２２は、ブザー２１ａまたは２１ｂのいずれか一方を選択して通電する。したがって、たとえば、入力レベルがしきい値をオーバーした場合には一方のブザー２１ａにより音程の高いブザー音となり、それ以外の場合は他方のブザー２１ｂにより音程の低いブザー音となる。
【００６６】
このように、この実施の形態６では、入力レベルがしきい値をオーバーしているか否かに応じて音色が変化するので、ブースタ装置１Ｅから離れていたり、ブースタ装置１Ｅがケース内に収納されていて外部からは見えない場合でも、音色の変化によって放送波信号の入力レベルが適正であるか否かを容易に把握することができる。
【００６７】
［実施の形態７］
図８は本発明の実施の形態７におけるブースタ装置の構成を示すブロック図であり、図１および図２に示した実施の形態１と対応する構成部分には同一の符号を付す。
【００６８】
この実施の形態７におけるブースタ装置１Ｆの特徴は、ブザー２１と、判定手段６の判定結果に基づいてブザー２１の警告音の発生時間間隔を変化させる発生音間隔制御手段２４とを備えており、これらのブザー２１および発生音間隔制御手段２４によって警告音発生手段２５が構成されていることである。
【００６９】
その他の構成は実施の形態１の場合と同様であるから、その他の構成についてはここでは詳しい説明は省略する。
【００７０】
上記構成において、判定手段６は、レベル検出手段５で検出した放送波信号の入力レベルがしきい値をオーバーしているか否かを判定し、その判定結果を発生音間隔制御手段２４に出力するので、発生音間隔制御手段２４は、警告音の発音時間間隔を決める通電パターンを選択する。たとえば、入力レベルがしきい値をオーバーした場合にはブザー２１により連続音を発生して警告し、それ以外の場合は断続音を発生させる。
【００７１】
このように、この実施の形態７では、入力レベルがしきい値をオーバーしているか否かに応じてブザー２１による警告音の発音時間間隔が変化するので、ブースタ装置１Ｅから離れていたり、ブースタ装置１Ｅがケース内に収納されていて外部からは見えない場合でも、音色の変化によって放送波信号の入力レベルが適正であるか否かを容易に把握することができる。
【００７２】
［実施の形態８］
この実施の形態８のブースタ装置としては、基本的には、たとえば、図７に示した実施の形態６と同様の構成、あるいは図８に示した実施の形態７と同様の構成が採用される。ただし、判定手段６としては、上限側と下限側の各々のしきい値が設定された２つのコンパレータを備えている。
【００７３】
ここで、図７に示したのと同様な構成の場合、発生音選択手段２２は、入力レベルが上限側のしきい値よりも大きい場合には一方のブザー２１ａを鳴らし、入力レベルが下限側のしきい値よりも小さい場合には他方のブザー２１ｂを鳴らし、入力レベルが上限側と下限側の各しきい値の間にあって正常な場合には、両ブザー２１ａ，２１ｂを共に無音状態に維持する。したがって、たとえば、図９（ａ）に示すように、入力レベルが正常の場合は無音状態が維持され、入力レベルが下限側のしきい値よりも小さいときにはピープ音、入力レベルが上限側のしきい値よりも大きいときにはブザー音がそれぞれ鳴る。
【００７４】
また、図８に示したのと同様な構成の場合、発生音間隔制御手段２４は、図９（ｂ）に示すように、入力レベルが上限側のしきい値よりも大きい場合にはブザー２１の音が断続する間隔Ｔ３を短くし、入力レベルが下限側のしきい値よりも小さい場合にはブザー２１の音を断続する間隔Ｔ４を長くし（Ｔ４＞Ｔ３）、入力レベルが上限側と下限側の各しきい値の間にあって正常な場合には、ブザー２１は鳴らさず無音状態にする。
【００７５】
このように、この実施の形態８のブースタ装置は、入力レベルが上限側のしきい値をオーバーした場合と下限側のしきい値をオーバーした場合とで警告音の音色あるいは発音時間間隔を互いに異ならせるようにしているので、放送波信号の入力レベルが適正であるか否かを把握できるだけでなく、不適正である場合には入力レベルが高すぎるのか低すぎるのかの方向性についても一見して把握することができる。
【００７６】
［実施の形態９］
図１０は本発明の実施の形態９におけるブースタ装置の構成を示すブロック図であり、図１および図２に示した実施の形態１と対応する構成部分には同一の符号を付す。
【００７７】
この実施の形態９におけるブースタ装置１Ｇの特徴は、レベル検出手段５の前段側に入力端子２に加わる放送波信号の入力レベルを調整するレベル調整手段２８を設け、このレベル調整手段２８による放送波信号の入力レベルの調整状態を報知手段２７により確認できるようにしていることである。
【００７８】
なお、この場合の報知手段２７としては、上記の実施の形態１〜８で示した発光手段１１，１３，１５、あるいは警告音発生手段２１，２３，２５が適用される。
【００７９】
これにより、テレビ受像機の画像を見ながらブースタ装置１Ｇの増幅部４への放送波信号の入力レベルをレベル調整手段２８で調整する際、調整途中でもリアルタイムで報知手段２７の報知状態が変化する。たとえば、警告音による報知の場合、入力レベルがしきい値よりも高い場合にはブザー音が発生し、レベル調整手段２８によって入力レベルを次第に下げていくと、ブザー音が徐々に小さくなって、適正範囲になれば消音するので、これによって入力レベルの調整が適正になされたか否かを確認することができる。
【００８０】
このように、この実施の形態９では、放送波信号の入力レベルをレベル調整手段２８で調整する際に、適正なレベルに調整されたか否かを報知手段２７によってリアルタイムで確認することができ、調整作業を円滑に進めることができる。
［実施の形態１０］
図１１は本発明の実施の形態１０におけるブースタ装置の構成を示すブロック図であり、図１０に示した実施の形態９と対応する構成部分には同一の符号を付す。
【００８１】
この実施の形態１０におけるブースタ装置１Ｈの特徴は、判定手段６により放送波信号の入力レベルがしきい値をオーバーしていると判定された場合には、そのオーバー量を表示するオーバー量表示手段２９が設けられていることである。
なお、この場合のオーバー量表示手段２９としては、たとえば液晶表示装置などが適用される。また、報知手段２７としては、上記の実施の形態１〜８で示した発光手段１１，１３，１５、あるいは警告音発生手段２１，２３，２５が適用される。
【００８２】
この構成において、たとえば、放送波信号の入力レベルが下限側のしきい値よりも小さい場合にはマイナス表示、上限側のしきい値よりも大きい場合にはプラス表示とし、入力レベルが各々のしきい値よりも何ｄＢの差があるのかを表示する。
【００８３】
このように、この実施の形態１０では、放送波信号の入力レベルが不適正であるときには、レベル調整手段２８で調整することになるが、その際、その調整量を作業者に知らせることができるため、調整作業を円滑に進めることができる。
【００８４】
【発明の効果】
本発明は次の効果を奏する。
【００８５】
（１）　請求項１記載の発明に係るブースタ装置は、アンテナで受信した放送波信号を増幅する増幅部に対する放送波信号の入力レベルを検出して、その検出された入力レベルが予め設定されたしきい値をオーバーしている場合にはその旨を外部に報知するようにしているため、専用の測定器等を用いなくても、増幅部に入力される放送波信号の入力レベルが適正であるか否かを装置内部で確実に検知することができる。そのため、放送波信号の入力レベルが許容範囲になるように調整することが可能になる。
【００８６】
（２）　請求項２記載の発明に係るブースタ装置は、報知手段が発光手段で構成されているので、この発光手段が発光することにより、増幅部に入力される放送波信号の入力レベルが適正であるか否かを一見して把握することができる。これにより、放送波信号の入力レベルの調整を促すことができる。
【００８７】
（３）　請求項３記載の発明に係るブースタ装置は、入力レベルがしきい値をオーバーしている場合には、これに応じて発光色または発光時間間隔を変化させるようにしているので、放送波信号の入力レベルが適正であるか否かを一見して把握することができる。これにより、放送波信号の入力レベルの調整を促すことができる。
【００８８】
（４）　請求項４記載の発明に係るブースタ装置は、入力レベルが上限側のしきい値をオーバーした場合と下限側のしきい値をオーバーした場合とで発光色または時間間隔を互いに異ならせるので、放送波信号の入力レベルが適正であるか否かを把握できるだけでなく、不適正である場合には入力レベルが高すぎるのか低すぎるのかの方向性も一見して把握することができる。これにより、放送波信号の入力レベルを調整する際の調整方向を明確にすることができる。
【００８９】
（５）　請求項５記載の発明に係るブースタ装置は、報知手段が警告音を発生する警告音発生手段で構成されているので、ブースタ装置から離れていたり、ブースタ装置がケース内に収納されていて外部からは見えない場合でも、警告音を聞くことで増幅部に入力される放送波信号の入力レベルが適正であるか否かを容易に把握することができる。これにより、放送波信号の入力レベルの調整を促すことができる。
【００９０】
（６）　請求項６記載の発明に係るブースタ装置は、入力レベルがしきい値をオーバーしている場合には、これに応じて音色または発音時間間隔を変化させるので、ブースタ装置から離れていたり、ブースタ装置がケース内に収納されていて外部からは見えない場合でも、この音色の変化によって放送波信号の入力レベルが適正であるか否かを容易に把握することができる。これにより、放送波信号の入力レベルの調整を促すことができる。
【００９１】
（７）　請求項７記載の発明に係るブースタ装置は、入力レベルが上限側のしきい値をオーバーした場合と下限側のしきい値をオーバーした場合とで音色または発音時間間隔を互いに異ならせるので、放送波信号の入力レベルが適正であるか否かを把握できるだけでなく、不適正である場合には入力レベルが高すぎるのか低すぎるのかの方向性も把握することができる。これにより、放送波信号の入力レベルを調整する際の調整方向を明確にすることができる。
【００９２】
（８）　請求項８記載の発明に係るブースタ装置は、増幅部への放送波信号の入力レベルをレベル調整手段で調整する際に、入力レベルが適正なレベルに調整されたか否かを報知手段によってリアルタイムで確認することができる。そのため、調整作業を円滑に進めることができる。
【００９３】
（９）　請求項９記載の発明に係るブースタ装置は、放送波信号の入力レベルが不適正で入力レベルがしきい値をオーバーしているときには、そのオーバー量が表示されるため、作業者はその調整量を明確に認識することができる。そのため、調整作業を円滑に進めることができる。
【図面の簡単な説明】
【図１】本発明の実施の形態１におけるブースタ装置の構成を示すブロック図である。
【図２】同ブースタ装置のレベル検出手段および判定手段の具体的な構成を示す回路図である。
【図３】本発明の実施の形態２におけるブースタ装置の構成を示すブロック図である。
【図４】本発明の実施の形態３におけるブースタ装置の構成を示すブロック図である。
【図５】本発明の実施の形態４におけるブースタ装置において、入力レベルが上限側と下限側の各しきい値をオーバーした場合に発光色または時間間隔を互いに異ならせる場合の説明図である。
【図６】本発明の実施の形態５におけるブースタ装置の構成を示すブロック図である。
【図７】本発明の実施の形態６におけるブースタ装置の構成を示すブロック図である。
【図８】本発明の実施の形態７におけるブースタ装置の構成を示すブロック図である。
【図９】本発明の実施の形態８におけるブースタ装置において、入力レベルが上限側と下限側の各しきい値をオーバーした場合に音色または発音時間間隔を互いに異ならせる場合の説明図である。
【図１０】本発明の実施の形態９におけるブースタ装置の構成を示すブロック図である。
【図１１】本発明の実施の形態１０におけるブースタ装置の構成を示すブロック図である。
【図１２】放送波信号共聴配線システムの概略構成図である。
【図１３】従来のブースタ装置の構成を示すブロック図である。
【符号の説明】
１Ａ〜１Ｈ　　ブースタ装置
４　　増幅部
５　　レベル検出手段
６　　判定手段
１１　　ＬＥＤ（発光手段）
１１ａ，１１ｂ　　ＬＥＤ
１２　　発光色選択手段
１３　　発光手段
１４　　発光時間間隔制御手段
１５　　発光手段
２１　　ブザー（警告音発生手段）
２１ａ，２１ｂ　　ブザー
２２　　発生音選択手段
２３　　警告音発生手段
２４　　発生音間隔制御手段
２５　　警告音発生手段
２７　　報知手段
２８　　レベル調整手段
２９　　調整量表示手段
【図１】
2004064472.tif 000003
【図２】
2004064472.tif 000004
【図３】
2004064472.tif 000005
【図４】
2004064472.tif 000006
【図５】
2004064472.tif 000007
【図６】
2004064472.tif 000008
【図７】
2004064472.tif 000009
【図８】
2004064472.tif 000010
【図９】
2004064472.tif 000011
【図１０】
2004064472.tif 000012
【図１１】
2004064472.tif 000013
【図１２】
2004064472.tif 000014
【図１３】
2004064472.tif 000015